(57)【要約】【課題】ＵＨＦ帯等の比較的長距離の通信を可能にするＩＣタグであって、使用しない場合に限ってＩＣタグリーダーとの長距離の通信を選択的に不可能とすることが、簡単にかつ繰り返し可逆的にできるＩＣタグを提供すること。【解決手段】ＩＣチップ２と該ＩＣチップに接続したアンテナ部材３とを常時有するＩＣタグ固定部４と、該ＩＣタグ固定部の近傍への着脱が可能でアンテナ部材３と電気的な結合をしてアンテナを形成する他のアンテナ部材５と、からなることを特徴とする。【選択図】図１
2011154612.tif 000002
【特許請求の範囲】
【請求項１】
ＩＣチップと該ＩＣチップに接続したアンテナ部材とを常時有するＩＣタグ固定部と、該ＩＣタグ固定部の近傍への着脱が可能でアンテナ部材と電気的な結合をしてアンテナを形成する他のアンテナ部材と、からなることを特徴とするＩＣタグ。
【請求項２】
前記ＩＣタグ固定部を構成するＩＣチップに接続したアンテナ部材がループ状整合回路を有し、前記着脱可能な他のアンテナ部材が放射素子からなることを特徴とする請求項１に記載のＩＣタグ。
【請求項３】
前記着脱可能な他のアンテナ部材を前記ＩＣタグ固定部に電気的な結合をする位置が、前記放射素子と前記ループ状整合回路との対向する直線部または曲線部にあり、ループ状整合回路は前記電気的な結合をする位置とは異なる位置でＩＣチップと接続することを特徴とする請求項２に記載のＩＣタグ。
【請求項４】
前記ＩＣタグ固定部が、被取り付け体に取り付け可能なホルダー部を構成し、前記着脱可能な他のアンテナ部材が差し込みタグ部を構成し、差し込みタグ部をホルダー部に差し込むことにより、アンテナを形成することを特徴とする請求項１〜３のいずれかに記載のＩＣタグ。
【請求項５】
前記差し込みタグ部を構成するアンテナ部材が、差し込みタグ部の天地または左右を入れ替えた差し込み状態であっても、前記ホルダー部を構成するＩＣタグ固定部と、正常に電気的な結合をすることを特徴とする請求項４に記載のＩＣタグ。
【請求項６】
前記差し込みタグ部が、形状の異なるアンテナ部材に対応して複数枚あり、同一のホルダー部に差し換えまたは重複使用できることを特徴とする請求項４または５に記載のＩＣタグ。
【請求項７】
前記ホルダー部が、その外縁に少なくとも一辺の開放辺と複数辺の係止部を有し、前記差し込みタグ部を前記開放辺の一つから差し込み、その差し込み位置が前記係止部により規定されることを特徴とする請求項４〜６のいずれかに記載のＩＣタグ。
【請求項８】
前記係止部の一つが、差し込みタグ部を差し込みタグ部内のアンテナ部材と平行にスライドして前記ホルダー部に差し込むためのガイドとなるように、配置されていることを特徴とする請求項７に記載のＩＣタグ。
【請求項９】
前記ホルダー部がコの字形の係止部を有し、開放辺側から差し込みタグ部をホルダー部に出し入れすることを特徴とする請求項７に記載のＩＣタグ。
【請求項１０】
前記コの字形の係止部の一角を斜めに繋げ、対応する差し込みタグ部の一角を同形状にカットすることにより、非対称な形状の差し込みタグ部の挿入の向きを制限することを特徴とする請求項９に記載のＩＣタグ。
【請求項１１】
請求項４〜１０のいずれかに記載のＩＣタグの前記差し込みタグ部をホルダー部に差し込んだ状態の被取り付け体としての物品に対して、ＩＣタグリーダーによる遠隔管理を行うことを特徴とするＩＣタグ付き物品の管理方法。
【請求項１２】
請求項１１に記載の管理方法を適用する物品が搬送用のコンテナであって、その所定の位置に貼り付け、吊り下げ、挟み込み等の固定手段により前記ホルダー部を一体に構成したことを特徴とする搬送用のコンテナ。
【請求項１３】
請求項１１に記載の管理方法を適用する物品が搬送用のパレットであって、その所定の位置に貼り付け、吊り下げ、挟み込み等の固定手段により前記ホルダー部を一体に構成したことを特徴とする搬送用のパレット。
【発明の詳細な説明】
【技術分野】
【０００１】
本発明は、各種情報を記録して物品等に取り付けられるＩＣタグとそれを取り付けた物品の管理方法、ならびに搬送用のコンテナまたはパレットに関する。
【背景技術】
【０００２】
近年、物品に付与されているタグ情報を自動的に読み取って識別するためのシステムとして、従来より知られているバーコード方式によるものに代えて、より大量の情報を扱え、耐環境性に優れ、しかも遠隔読み出しが可能なデータキャリアシステムと呼ばれるＩＣタグ識別システムの開発が盛んに行われている。このＩＣタグ識別システムは、物品等に取り付けられるＩＣタグと呼ばれる応答器と、ホスト側に接続される質問器とで構成され、これら応答器と質問器との間で、磁気、誘導電磁界、マイクロ波（電波）等の伝送媒体を介して非接触で交信を行うことを特徴としている。
【０００３】
ＩＣタグは、物品の管理などを目的に、物品に関する様々な情報、例えば、物品の名称や重量／サイズ、内容量、製造者名、販売者名、製造場所、製造年月日、使用期限等の情報を記録したＩＣチップと、応答器として質問器と非接触で交信を行うためのアンテナとを少なくとも有するインレットと呼ばれる実装体を基に、ラベル／シール、カード、モールド、等の種々の形態に加工されて物品に取付けられている。特に、ＩＣタグをコンテナやパレットの側面等に取り付けて、物品の運送や物流等における認識媒体として、あるいは商品の品質管理や在庫管理等における識別媒体として使用されることが多くなってきた（特許文献１および２参照）。
【０００４】
また、近年、通信距離の長距離化が可能なＵＨＦ帯のＩＣタグの利用が進み、ＩＣタグとの通信可能な領域が拡大されることによって、前記質問器としてのＩＣタグリーダーの使用可能領域が広くなった結果、使用上の制約の少ない形態でＩＣタグが使われることが多くなった。しかし、ＩＣタグリーダーの通信可能領域に複数のＩＣタグが存在すると、交信が必要なＩＣタグと不必要なＩＣタグとが同時に通信可能状態に入ることによる不都合もある。そのため、例えば特許文献３では、コンテナ非使用時に折り畳むことにより、コンテナに取り付けたＩＣタグのアンテナによる送受信を抑止する機構を設け、ＩＣタグからのデータの読み取り機能を制限することが提案された。
【先行技術文献】
【特許文献】
【０００５】
【特許文献１】特開２００７−５５６６６号公報
【特許文献２】特開２００７−５５６６７号公報
【特許文献３】特開２００９−６７４６５号公報
【発明の概要】
【発明が解決しようとする課題】
【０００６】
前述のように、複数のＩＣタグが運用される使用環境において、認識すべきＩＣタグ以外のＩＣタグを認識してしまうことを避けるために、通信距離の長距離化をあえて行わないで短距離通信用のＩＣタグを利用するか、特許文献３のような抑止機構をコンテナに取り付けるなどの工夫が必要である。然るに、後者のようにコンテナの折り畳みを前提にしてＩＣタグの取り付け位置に対応する所定の位置に予め送受信の抑止機構を設ける方法は、使用形態が制約され、適用できない事例が多くなる。
【０００７】
本発明は、前記の問題点に鑑みて提案するものであり、本発明が解決しようとする課題は、ＵＨＦ帯等の比較的長距離の通信を可能にするＩＣタグであって、使用しない場合に限ってＩＣタグリーダーとの長距離の通信を選択的に不可能とすることが、簡単にかつ繰り返し可逆的にできるＩＣタグを提供することである。
【０００８】
また、本発明が解決しようとする他の課題は、本発明のＩＣタグを設置した物品を、各種の広範囲の物品に亘って低コストで管理する方法を提供することである。
【０００９】
また、本発明が解決しようとする他の課題は、本発明のＩＣタグを最適に設置した搬送用のコンテナまたはパレットを提供することである。
【課題を解決するための手段】
【００１０】
上記の課題を解決するための手段として、請求項１に記載の発明は、ＩＣチップと該ＩＣチップに接続したアンテナ部材とを常時有するＩＣタグ固定部と、該ＩＣタグ固定部の近傍への着脱が可能でアンテナ部材と電気的な結合をしてアンテナを形成する他のアンテナ部材と、からなることを特徴とするＩＣタグである。
【００１１】
また、請求項２に記載の発明は、前記ＩＣタグ固定部を構成するＩＣチップに接続したアンテナ部材がループ状整合回路を有し、前記着脱可能な他のアンテナ部材が放射素子からなることを特徴とする請求項１に記載のＩＣタグである。
【００１２】
また、請求項３に記載の発明は、前記着脱可能な他のアンテナ部材を前記ＩＣタグ固定部に電気的な結合をする位置が、前記放射素子と前記ループ状整合回路との対向する直線部または曲線部にあり、ループ状整合回路は前記電気的な結合をする位置とは異なる位置でＩＣチップと接続することを特徴とする請求項２に記載のＩＣタグである。
【００１３】
また、請求項４に記載の発明は、前記ＩＣタグ固定部が、被取り付け体に取り付け可能なホルダー部を構成し、前記着脱可能な他のアンテナ部材が差し込みタグ部を構成し、差し込みタグ部をホルダー部に差し込むことにより、アンテナを形成することを特徴とする請求項１〜３のいずれかに記載のＩＣタグである。
【００１４】
また、請求項５に記載の発明は、前記差し込みタグ部を構成するアンテナ部材が、差し込みタグ部の天地または左右を入れ替えた差し込み状態であっても、前記ホルダー部を構成するＩＣタグ固定部と、正常に電気的な結合をすることを特徴とする請求項４に記載のＩＣタグである。
【００１５】
また、請求項６に記載の発明は、前記差し込みタグ部が、形状の異なるアンテナ部材に対応して複数枚あり、同一のホルダー部に差し換えまたは重複使用できることを特徴とする請求項４または５に記載のＩＣタグである。
【００１６】
また、請求項７に記載の発明は、前記ホルダー部が、その外縁に少なくとも一辺の開放辺と複数辺の係止部を有し、前記差し込みタグ部を前記開放辺の一つから差し込み、その差し込み位置が前記係止部により規定されることを特徴とする請求項４〜６のいずれかに記載のＩＣタグである。
【００１７】
また、請求項８に記載の発明は、前記係止部の一つが、差し込みタグ部を差し込みタグ部内のアンテナ部材と平行にスライドして前記ホルダー部に差し込むためのガイドとなるように、配置されていることを特徴とする請求項７に記載のＩＣタグである。
【００１８】
また、請求項９に記載の発明は、前記ホルダー部がコの字形の係止部を有し、開放辺側
から差し込みタグ部をホルダー部に出し入れすることを特徴とする請求項７に記載のＩＣタグである。
【００１９】
また、請求項１０に記載の発明は、前記コの字形の係止部の一角を斜めに繋げ、対応する差し込みタグ部の一角を同形状にカットすることにより、非対称な形状の差し込みタグ部の挿入の向きを制限することを特徴とする請求項９に記載のＩＣタグである。
【００２０】
また、請求項１１に記載の発明は、請求項４〜１０のいずれかに記載のＩＣタグの前記差し込みタグ部をホルダー部に差し込んだ状態の被取り付け体としての物品に対して、ＩＣタグリーダーによる遠隔管理を行うことを特徴とするＩＣタグ付き物品の管理方法である。
【００２１】
また、請求項１２に記載の発明は、請求項１１に記載の管理方法を適用する物品が搬送用のコンテナであって、その所定の位置に貼り付け、吊り下げ、挟み込み等の固定手段により前記ホルダー部を一体に構成したことを特徴とする搬送用のコンテナである。
【００２２】
また、請求項１３に記載の発明は、請求項１１に記載の管理方法を適用する物品が搬送用のパレットであって、その所定の位置に貼り付け、吊り下げ、挟み込み等の固定手段により前記ホルダー部を一体に構成したことを特徴とする搬送用のパレットである。
【発明の効果】
【００２３】
本発明のＩＣタグによれば、ＩＣタグ固定部の近傍への着脱が可能な他のアンテナ部材の設置位置を選択して、ＩＣタグ固定部と着脱可能な他のアンテナ部材とを電気的な結合をさせることによって、ＵＨＦ帯等の比較的長距離の通信を可能にする一方で、ＩＣタグを使用しない場合には、ＩＣタグリーダーとの長距離の通信を意図的に不可能とすることも、簡単にかつ繰り返し可逆的にできる。そのため、非使用時に誤認識されるという恐れが無い。さらに、非使用時の前記着脱可能な他のアンテナ部材と電気的な結合をしない場合でも、ＩＣタグ固定部に特に接近させたＩＣタグリーダーによる通信は可能であるので、使用履歴等のデータ読み取りのように非定常的な機能は利用することができる。
【００２４】
また、本発明のＩＣタグを設置した物品を、物品の形態に依存することなく、ＩＣタグを構成する差し込みタグ部のホルダー部への差し込みによって、ＩＣタグリーダーによる遠隔管理を行うことができるので、各種の広範囲の物品に亘って低コストで管理することができる。
【００２５】
また、本発明のＩＣタグを設置した物品を搬送用のコンテナまたはパレットとする場合、その所定の位置に貼り付け、ぶら下げ、挟み込み等の固定手段により前記ホルダー部を一体に構成することができるので、本発明のＩＣタグを最適に設置した搬送用のコンテナまたはパレットを提供することができる。
【図面の簡単な説明】
【００２６】
【図１】本発明のＩＣタグの構成を説明するための模式平面図であって、（ａ）は分離状態、（ｂ）、（ｃ）は結合状態を示す。
【図２】本発明のＩＣタグの構成の対称構造の例を説明するための模式平面図であって、（ａ）、（ｂ）、（ｃ）はそれぞれ異なる分離状態を示す。
【図３】本発明のＩＣタグの同一のホルダー部に複数の差し込みタグ部が対応する例を説明するための模式平面図であって、（ａ）、（ｂ）、（ｃ）はそれぞれ異なる差し込みタグ部を示す。
【図４】本発明のＩＣタグのホルダー部がコの字形の係止部を有する２例を説明するための模式平面図であって、（ａ）は、差し込みタグ部の向きが規定されない例、（ｂ）、は、差し込みタグ部の向きが規定される例を示す。
【図５】本発明のＩＣタグ付き物品の管理方法を説明するための模式概念図である。
【図６】本発明のコンテナの例を説明するための模式斜視図であって、（ａ）、（ｂ）、（ｃ）はホルダー部をそれぞれ異なる固定手段で本体に一体に構成した状態を示す。
【発明を実施するための形態】
【００２７】
以下、本発明を実施するための形態について、図面に従って説明する。
【００２８】
図１は、本発明のＩＣタグの構成を説明するための模式平面図であって、（ａ）は分離状態、（ｂ）、（ｃ）は結合状態を示す。ＩＣタグ１は、二つの部分に分離可能であって、一つは、ＩＣチップ２と該ＩＣチップに接続したアンテナ部材３とを常時有するＩＣタグ固定部４を含む部分であり、他の一つは、ＩＣタグ固定部４の近傍への着脱が可能な他のアンテナ部材５を含む部分である。図では、前者をホルダー部６とし、後者を差し込みタグ部７とした例を示しており、具体例は後述する。
【００２９】
図１（ａ）で示した分離状態のＩＣタグ１の二つの部分をブロック矢印の方向に接近させて、前記着脱可能な他のアンテナ部材５を前記ＩＣタグ固定部４に電気的な結合をした状態を（ｂ）および（ｃ）に示す。本例では、無接点で電気的な結合をする場合を示し、以下も同様な場合について説明するが、電気的な結合は接点を有して短絡する場合も含む。着脱可能な他のアンテナ部材５とＩＣタグ固定部４のアンテナ部材３の一部が微小距離ｓを保持して平行に接近することによって、長さｂの電気的な結合部分を形成することが可能である。図の（ｂ）および（ｃ）では、前記分離された二つの部分が概略オーバーラップするまでブロック矢印の方向に接近させれば、前記ｓおよびｂの長さを一定に保てるので、図の横方向の位置の精度は重要ではない。
【００３０】
上記の例で図示するように、前記ＩＣタグ固定部４を構成するＩＣチップ２に接続したアンテナ部材３がループ状整合回路を有し、前記着脱可能な他のアンテナ部材５が放射素子からなることにより、両者が良好な電気的な結合状態を作って、ＩＣタグ１のアンテナ特性を制御できるので、ＵＨＦ帯等の長距離通信を可能とする上で好適である。
【００３１】
また、前記着脱可能な他のアンテナ部材５を前記ＩＣタグ固定部４に電気的な結合をする位置が、前記放射素子と前記ループ状整合回路との対向する直線部または曲線部にあり、ループ状整合回路は前記電気的な結合をする位置とは異なる位置でＩＣチップ２と接続することが好ましい。
【００３２】
また、本発明のＩＣタグ１を構成する前記分離された二つの部分が、被取り付け体に直接取り付け可能なホルダー部６と該ホルダー部に差し込んで位置決めできる差し込みタグ部７とからなるように外形を規定することが、より実用的である。すなわち、前記ＩＣタグ固定部４が、被取り付け体に取り付け可能なホルダー部６を構成し、前記着脱可能な他のアンテナ部材５が差し込みタグ部７を構成し、差し込みタグ部７をホルダー部６に差し込むことにより、通信可能とする。図示しないが、上記とは逆に、前記着脱可能な他のアンテナ部材５がホルダー部６を構成し、前記ＩＣタグ固定部４が差し込みタグ部７を構成し、差し込みタグ部７をホルダー部６に差し込むことにより、通信可能とすることもできる。ホルダー部６と差し込みタグ部７との結合状態では、上記の２例は同等の機能を与えるので、以下の説明では、分離状態での単独の使用例を除いて、前者の例で代表的に説明する。
【００３３】
図２は、本発明のＩＣタグの構成の対称構造の例を説明するための模式平面図であって、（ａ）、（ｂ）、（ｃ）はそれぞれ異なる分離状態を示す。それぞれ、ブロック矢印の方向に、差し込みタグ部７をホルダー部６に差し込むと、ループ状整合回路からなるアン
テナ部材３と放射素子からなる着脱可能な他のアンテナ部材５との電気的な結合状態を作ることができる。その際に、ホルダー部６におけるアンテナ部材３の位置関係、および差し込みタグ部７における着脱可能な他のアンテナ部材５の位置関係により、差し込みタグ部７を一点鎖線で示す中央線を対称線として天地を入れ替えて差し込んでも、同様の電気的な結合状態を作ることができることは容易に判る。（ａ）は、着脱可能な他のアンテナ部材５が天地逆であっても同位置である場合であり、（ｂ）は、天地逆にすると同一差し込みタグ部７におけるもう一本の着脱可能な他のアンテナ部材５が機能する場合であり、（ｃ）は、ホルダー部６におけるアンテナ部材３との結合位置を変えて電気的な結合をする場合である。
【００３４】
上記と同様の関係を左右対称なＩＣタグの構造に適用すれば、前記差し込みタグ部７を構成するアンテナ部材５が、差し込みタグ部の左右を入れ替えた差し込み状態であっても、前記ホルダー部６を構成するＩＣタグ固定部４と、正常に電気的な結合をすることができる。ＩＣタグの構成において、上述のように天地または左右の対称構造を予め設計しておくことにより、差し込みタグ部７の天地または左右を入れ替えた差し込みを可能とするので、使い勝手の良いＩＣタグを提供できる。
【００３５】
図３は、本発明のＩＣタグの同一のホルダー部に複数の差し込みタグ部が対応する例を説明するための模式平面図であって、（ａ）、（ｂ）、（ｃ）はそれぞれ異なる差し込みタグ部を示す。（ａ）、（ｂ）、（ｃ）の差し込みタグ部７には、形状および長さの異なる放射素子からなる前記着脱可能な他のアンテナ部材５が形成されている。本形態では、上記差し込みタグ部７をホルダー部６にブロック矢印の方向に差し込み、ＩＣタグ固定部４との電気的な結合状態を選択的に作ることができ、また、適宜差し込みタグ部７を差し換えて、ＩＣタグの通信特性を決めるためのＩＣタグ全体としてのアンテナ特性を選択することができる。さらに必要に応じて、前記複数の差し込みタグ部を重複して同一のホルダー部に差し込み、１枚の差し込みタグ部で実現する場合とは異なるアンテナ特性を得ることもできる。
【００３６】
なお、ＩＣタグ１のＩＣタグ固定部４として実装される前記ＩＣチップ２も前記分離して形成されるアンテナ部材３や５も各種のものが使用可能である。ＩＣチップ２は、メモリ容量や通信距離、周波数などを選択して国際標準仕様に準拠したものを使用でき、アンテナ部材は、アルミニウムや銅などの金属箔材から種々のサイズにフォトエッチング加工して作られるが、導電印刷体などの他形態、他製法のものを使用することもできる。ホルダー部６や差し込みタグ部７の基材としては、上記アンテナ部材に使用される金属箔材の樹脂フィルム状基材や同等の材料を用いることができ、上記のＩＣチップ２を基材上のアンテナ部材３に信頼性の高い電気的接続をするために、金やニッケルのめっき層を形成することができるが、いずれも限定されるものではない。
【００３７】
図４は、本発明のＩＣタグのホルダー部がコの字形の係止部を有する２例を説明するための模式平面図であって、（ａ）は、差し込みタグ部の向きが規定されない例、（ｂ）、は、差し込みタグ部の向きが規定される例を示す。（ａ）では、ホルダー部６の破線で示す外縁が少なくとも一辺の開放辺８を有し、また、複数辺にまたがる係止部９、本例ではコの字形の係止部を有する。前記開放辺８を通して、前記差し込みタグ部７を差し込み、ブロック矢印で示すホルダー部の突き当たり方向の辺に形成した係止部まで差し込んで、差し込み位置が規定される。本例のようにコの字形の係止部を有すると、差し込みタグ部７のホルダー部６への出し入れにおいて、通過のためのガイドと突き当てとの両機能を係止部が担うことができるので便利である。
【００３８】
また、図４の（ｂ）は、前記コの字形の係止部の一角を斜めに繋げ、対応する差し込みタグ部の一角を同形状にカットすることにより、非対称な形状の差し込みタグ部の挿入の
向きを制限することができるものである。コの字形の係止部の一角の斜めに繋げた部分１０（太い破線で示す）に差し込みタグ部の一角のカット部１１（太い実線で示す）が対応して嵌合する。なお、ホルダー部６の外縁を表す破線と差し込みタグ部７の外縁を表す実線の内、上記コの字形の係止部の一角の斜めに繋げた部分と差し込みタグ部の一角のカット部に対応する部分は、元の外縁部分が変形していることを示す。
【００３９】
また、上記コの字形の係止部の一角の斜めに繋げた部分と差し込みタグ部の一角のカット部の斜めの角度と大きさを選定することにより、ホルダー部６と差し込みタグ部７とが一対一に対応するように嵌合の特定化ができるので、例えば複数の種類のＩＣタグを同一室内に配置した物品に使用するような場合においても、適正なホルダー部６と差し込みタグ部７との組み合わせが正しく選択され、後述の物品の管理においてさらに有利となる。また、前記係止部および差し込みタグ部の一角を加工するだけでなく二角を区別して加工することにより、さらにきめ細かい嵌合の特定化ができることは言うまでもない。
【００４０】
一方、図１、図２、図３に示した例では、図４で説明した前記係止部９を必ずしもコの字形とする必要はなく、前記係止部の一つが、差し込みタグ部７を差し込みタグ部内のアンテナ部材５と平行にスライドして前記ホルダー部６に差し込むためのガイドとなるように、配置されるだけであっても有用である。また、図３において、前記複数の差し込みタグ部を重複して同一のホルダー部に差し込む場合には、１枚の差し込みタグ部のための係止部とは異なる設計が必要であり、差し込みタグ部の厚さ等の仕様も考慮して最適化すればよい。
【００４１】
図５は、本発明のＩＣタグ付き物品の管理方法を説明するための模式概念図である。
ＩＣタグの被取り付け体としての複数の物品２０の保管や運送、仕分け等において、それぞれの物品２０に固有の情報、すなわち、物品の名称や重量／サイズ、内容量、製造者名、販売者名、製造場所、製造年月日、使用期限等の情報を、物品に取り付けたＩＣタグに入力済みの情報として、またはこれから入力すべき情報として、ＩＣタグリーダー１５を通じて入出力する。各種情報の制御および集計はＩＣタグリーダー１５に接続した管理用制御系１６により行う。ＩＣタグリーダー１５から発信される通信用電波が、本物品に取り付けたＩＣタグの有する周波数範囲に適合すれば、上記の各種情報の入出力を各物品毎のＩＣタグと行うことができる。この場合のＩＣタグは、差し込みタグ部をホルダー部に差し込んだ状態のＩＣタグ２１である。一方、差し込みタグ部をホルダー部から抜いた状態のＩＣタグ２２を取り付けた物品２０に対しては、アンテナ特性が前者とは異なるため、この状態のＩＣタグリーダー１５との通信は困難である。物品２０がＩＣタグリーダー１５との通信による管理対象とできるか否かは、ＩＣタグの状態が差し込みタグ部を近接して保有しているかどうかに係るので、管理対象としての選別は容易であり、ＩＣタグを構成する差し込みタグ部のホルダー部への差し込みという単純な動作によって、ＩＣタグリーダーによる遠隔管理を行うことができるので、各種の広範囲の物品に亘って低コストで管理することができる。
【００４２】
上記の中で、ＩＣタグリーダー１５による遠隔通信による物品の管理を行わない、非使用時においては、非使用物品に取り付けたＩＣタグから差し込みタグ部７をホルダー部６と分離して抜くことにより、前記着脱可能な他のアンテナ部材５をＩＣタグ固定部４と電気的な結合をしないようにしている。しかし、このような非使用状態のＩＣタグ２２を取り付けた物品２０に対して、ＩＣタグリーダー１５をこの物品のＩＣタグ２２に接近させる位置に移動すれば、通信が可能となり、ＩＣタグ２２が保有する情報を読み取りまたは制御することが可能となる。そのため、ＩＣタグから差し込みタグ部７を抜いて取り付けた非使用物品に関する使用履歴等のデータ読み取りのように、非定常的な管理方法を実施する場面で、ＩＣタグの機能を利用することができる。
【００４３】
図６は、本発明のコンテナの例を説明するための模式斜視図であって、（ａ）、（ｂ）、（ｃ）はホルダー部をそれぞれ異なる固定手段で本体に一体に構成した状態を示す。箱型のコンテナの例で示すが、同様の考え方で多様な形態のコンテナが可能であり、一時保管や移動の際の置き台としても利用されるパレットも同様に可能である。
【００４４】
（ａ）は、コンテナ３０の所定の側面にＩＣタグのホルダー部６およびホルダー部外縁の係止部９を貼り付けてコンテナ３０と一体に構成した例である。ホルダー部６および係止部９の裏面に接着剤を塗布してコンテナ側面に貼ることも可能であるが、両面粘着テープ、面ファスナー、フックや紐を用いた貼り付けも可能であり、コンテナ側面の形態により種々の方法が可能である。コンテナは汎用の合成樹脂により金型を用いて成形した箱状のものが多いが、側面は板状や格子状、メッシュ状など様々であり、使用場面に応じて具体的な固定手段を選択すれば良い。
【００４５】
（ｂ）は、コンテナ３０の所定の側面にＩＣタグのホルダー部６およびホルダー部外縁の係止部９を吊り下げてコンテナ３０と一体に構成した例である。ホルダー部の吊り下げ機構３２は、フックと紐または糸類を利用して可能である。また、（ｃ）は、コンテナ３０の所定の側面にＩＣタグのホルダー部６およびホルダー部外縁の係止部９を挟み込んでコンテナ３０と一体に構成した例である。ホルダー部の挟み込み機構３３は、透明フィルムを被せて両端をコンテナ側面に貼り付ける形でも良いが、剛性の高い板で押し付けることも可能である。上記（ｂ）、（ｃ）の形態は、一般に（ａ）の貼り付けタイプよりもＩＣタグのホルダー部への加工を少なくできる。
【符号の説明】
【００４６】
１・・・ＩＣタグ
２・・・ＩＣチップ
３・・・アンテナ部材
４・・・ＩＣタグ固定部
５・・・着脱可能な他のアンテナ部材
６・・・ホルダー部
７・・・差し込みタグ部
８・・・ホルダー部外縁の開放辺
９・・・ホルダー部外縁の係止部
１０・・・コの字形の係止部の一角の斜めに繋げた部分
１１・・・差し込みタグ部の一角のカット部
１５・・・ＩＣタグリーダー
１６・・・管理用制御系
２０・・・ＩＣタグの被取り付け体（物品）
２１・・・差し込みタグ部をホルダー部に差し込んだ状態のＩＣタグ
２２・・・差し込みタグ部をホルダー部から抜いた状態のＩＣタグ
３０・・・コンテナ
３２・・・ホルダー部の吊り下げ機構
３３・・・ホルダー部の挟み込み機構
【図１】
2011154612.tif 000003
【図２】
2011154612.tif 000004
【図３】
2011154612.tif 000005
【図４】
2011154612.tif 000006
【図５】
2011154612.tif 000007
【図６】
2011154612.tif 000008